(57)【要約】【課題】  無線リソースの無駄な使用を低減させるとともに、バッテリーの消費量を低減させる。【解決手段】  携帯電話機１０が、移動体通信網２の通信エリア２Ａと無線ＬＡＮ網３の通信エリア３Ａに在圏している場合に、携帯電話機１０は、アクセスポイント３５から送信された電波の強度が所定の閾値未満になったときに、自機１０が無線ＬＡＮ網３の通信エリア３Ａ内から圏外に移動したと判断する。携帯電話機１０は、圏外移動通知メッセージを移動体通信網管理サーバ２０宛に送信する。移動体通信網管理サーバ２０は、受信した圏外移動通知メッセージに基づいて、携帯電話機１０に関する圏外情報を無線ＬＡＮ網管理サーバ３０宛に送信する。無線ＬＡＮ網管理サーバ３０は、受信した圏外情報に基づいて、無線ＬＡＮ網３を利用して通信することができる携帯電話機１０の在圏情報を更新する。【選択図】  図１
2007104418.tif 000002
【特許請求の範囲】
【請求項１】
異なる無線通信方式のネットワークを介して無線通信することが可能な移動通信端末であって、
第一の無線通信方式のネットワークを介して無線通信を行う第一の無線通信手段と、
第二の無線通信方式のネットワークを介して無線通信を行う第二の無線通信手段と、
前記第一の無線通信方式が適用される通信エリア内から圏外に移動したことを検知する圏外移動検知手段と、
前記圏外移動検知手段により、前記通信エリア内から圏外に移動したことが検知された場合に、前記通信エリア内から圏外に移動したことを通知するためのメッセージを生成するメッセージ生成手段と、を備え、
前記第二の無線通信手段は、前記メッセージ生成手段により生成された前記メッセージを、前記第二の無線通信方式のネットワーク内に送信することを特徴とする移動通信端末。
【請求項２】
前記異なる無線通信方式には、移動体通信網を使用する無線通信方式と、無線ＬＡＮを使用する無線通信方式とが含まれることを特徴とする請求項１記載の移動通信端末。
【請求項３】
前記圏外移動検知手段は、前記第一の無線通信手段により行われる無線通信時に受信される電波の強度に基づいて、前記通信エリア内から圏外に移動したことを検知することを特徴とする請求項１または２記載の移動通信端末。
【請求項４】
異なる無線通信方式のネットワークを介して無線通信することが可能な移動通信端末と、第一の無線通信方式のネットワークに含まれる第一の管理サーバと、第二の無線通信方式のネットワークに含まれる第二の管理サーバとを有する通信システムであって、
前記移動通信端末は、
前記第一の無線通信方式のネットワークを介して無線通信を行う第一の無線通信手段と、
前記第二の無線通信方式のネットワークを介して無線通信を行う第二の無線通信手段と、
前記第一の無線通信方式が適用される通信エリア内から圏外に移動したことを検知する圏外移動検知手段と、
前記圏外移動検知手段により、前記通信エリア内から圏外に移動したことが検知された場合に、前記通信エリア内から圏外に移動したことを通知するためのメッセージを生成するメッセージ生成手段と、を備え、
前記第二の無線通信手段は、前記メッセージ生成手段により生成された前記メッセージを、前記第二の管理サーバに送信し、
前記第二の管理サーバは、
前記移動通信端末から送信された前記メッセージに基づいて、前記移動通信端末が前記第一の無線通信方式が適用される通信エリア内から圏外に移動したことを示す圏外情報を、前記第一の管理サーバに送信する送信手段を備え、
前記第一の管理サーバは、
前記第一の無線通信方式のネットワークを利用して通信することができる前記移動通信端末の在圏情報を管理する管理手段を備え、
前記管理手段は、前記第二の管理サーバから送信された前記圏外情報に基づいて、前記在圏情報を更新する
ことを特徴とする通信システム。
【発明の詳細な説明】
【技術分野】
【０００１】
本発明は、移動通信端末および通信システムに関する。
【背景技術】
【０００２】
無線ＬＡＮ機能を搭載した移動通信端末では、例えば、無線ＬＡＮのアクセスポイントから受信した電波の強度が所定の閾値以上であるか否かによって、無線ＬＡＮ網の通信エリアに在圏しているか否かが判断される（例えば、特許文献１参照）。これに対して、無線ＬＡＮ網側では、例えば、無線ＬＡＮのアクセスポイントと移動通信端末との間で行われる在圏確認によって、移動通信端末が無線ＬＡＮ網の通信エリアに在圏しているか否かが判断される。この在圏確認は、例えば、“keep alive”を用いて行われる。
【特許文献１】特開２００４−１７９９６７号公報
【発明の開示】
【発明が解決しようとする課題】
【０００３】
ところで、“keep alive”を用いた在圏確認は、移動通信端末の消費電力を考慮して、所定の間隔をあけて行われている。したがって、移動通信端末が無線ＬＡＮ網の通信エリア内から圏外に移動した場合には、実際に移動通信端末が圏外に移動してから、無線ＬＡＮ網側でその事実を把握するまでに、タイムラグが生じる。このタイムラグの間に、無線ＬＡＮ網に、移動通信端末宛の着信要求があると、無線ＬＡＮ網側では、移動通信端末が在圏しているものとして呼処理を開始するため、不要な呼処理が発生する。これにより、無線帯域等の無線リソースが無駄に使用されてしまう。一方、無線ＬＡＮのアクセスポイントと移動通信端末間で行われる在圏確認の間隔を短縮することにより、タイムラグを低減させることも可能である。しかしながら、在圏確認を頻繁に行うことによって、移動通信端末の消費電力が増大してしまうため、移動通信端末のバッテリーが無駄に消費されてしてしまう。
【０００４】
そこで、本発明は、上述した課題を解決するために、無線リソースの無駄な使用を低減させることができるとともに、バッテリーの消費量を低減させることができる移動通信端末および通信システムを提供することを目的とする。
【課題を解決するための手段】
【０００５】
本発明の移動通信端末は、異なる無線通信方式のネットワークを介して無線通信することが可能な移動通信端末であって、第一の無線通信方式のネットワークを介して無線通信を行う第一の無線通信手段と、第二の無線通信方式のネットワークを介して無線通信を行う第二の無線通信手段と、第一の無線通信方式が適用される通信エリア内から圏外に移動したことを検知する圏外移動検知手段と、圏外移動検知手段により、通信エリア内から圏外に移動したことが検知された場合に、通信エリア内から圏外に移動したことを通知するためのメッセージを生成するメッセージ生成手段と、を備え、上記第二の無線通信手段は、メッセージ生成手段により生成されたメッセージを、第二の無線通信方式のネットワーク内に送信することを特徴とする。
【０００６】
この発明によれば、第一の無線通信方式が適用される通信エリア内から圏外に移動したことを検知させることができ、この検知によって、第一の無線通信方式が適用される通信エリア内から圏外に移動したことを通知するためのメッセージを第二の無線通信方式のネットワーク内に送信させることができる。すなわち、第一の無線通信手段により無線通信を行うことができなくなった場合であっても、第二の無線通信手段により行われる無線通信を利用して、その旨を第二の無線通信方式のネットワーク内に通知させることができる。これにより、第一の無線通信方式のネットワークは、移動通信端末が第一の無線通信方式が適用される通信エリア内から圏外に移動したことを、第二の無線通信方式のネットワークを介して認識することができる。すなわち、第一の無線通信方式のネットワークは、当該ネットワークと移動通信端末との間で行われる在圏確認の有無にかかわらず、移動通信端末が在圏しているか否かを迅速に認識することが可能となる。したがって、移動通信端末が圏外に移動してからその事実を把握するまでのタイムラグを短縮させることができるため、このタイムラグの間に発生する不要な呼処理が低減する。それゆえに、無線リソースの無駄な使用を低減させることができる。また、在圏確認の間隔を長くすることができるため、バッテリーの消費量を低減させることができる。
【０００７】
本発明の移動通信端末において、上記異なる無線通信方式には、移動体通信網を使用する無線通信方式と、無線ＬＡＮを使用する無線通信方式とが含まれることが好ましい。また、本発明の移動通信端末において、上記圏外移動検知手段は、第一の無線通信手段により行われる無線通信時に受信される電波の強度に基づいて、上記通信エリア内から圏外に移動したことを検知することが好ましい。
【０００８】
また、本発明の通信システムは、異なる無線通信方式のネットワークを介して無線通信することが可能な移動通信端末と、第一の無線通信方式のネットワークに含まれる第一の管理サーバと、第二の無線通信方式のネットワークに含まれる第二の管理サーバとを有する通信システムであって、上記移動通信端末は、第一の無線通信方式のネットワークを介して無線通信を行う第一の無線通信手段と、第二の無線通信方式のネットワークを介して無線通信を行う第二の無線通信手段と、第一の無線通信方式が適用される通信エリア内から圏外に移動したことを検知する圏外移動検知手段と、当該圏外移動検知手段により、通信エリア内から圏外に移動したことが検知された場合に、通信エリア内から圏外に移動したことを通知するためのメッセージを生成するメッセージ生成手段と、を備え、上前記第二の無線通信手段は、メッセージ生成手段により生成されたメッセージを、第二の管理サーバに送信し、上記第二の管理サーバは、移動通信端末から送信されたメッセージに基づいて、移動通信端末が第一の無線通信方式が適用される通信エリア内から圏外に移動したことを示す圏外情報を、第一の管理サーバに対して送信する送信手段を備え、上記第一の管理サーバは、第一の無線通信方式のネットワークを利用して通信することができる移動通信端末の在圏情報を管理する管理手段を備え、当該管理手段は、第二の管理サーバから送信された圏外情報に基づいて、在圏情報を更新することを特徴とする。
【０００９】
この発明によれば、第一の無線通信方式が適用される通信エリア内から圏外に移動したことを検知させることができ、この検知によって、第一の無線通信方式が適用される通信エリア内から圏外に移動したことを通知するためのメッセージを、移動通信端末から第二の管理サーバに送信させることができる。すなわち、第一の無線通信手段により無線通信を行うことができなくなった場合であっても、第二の無線通信手段により行われる無線通信を利用して、その旨を第二の管理サーバに通知することができる。また、移動通信端末から送信されたメッセージに基づいて、移動通信端末が第一の無線通信方式が適用される通信エリア内から圏外に移動したことを示す圏外情報を、第二の管理サーバから第一の管理サーバに送信させることができる。さらに、この圏外情報に基づいて、第一の管理サーバで管理されている第一の無線通信方式のネットワークを利用して通信することができる移動通信端末の在圏情報を、更新させることができる。これにより、第一の管理サーバは、移動通信端末が第一の無線通信方式が適用される通信エリア内から圏外に移動したことを、第二の管理サーバを介して認識することができる。すなわち、第一の管理サーバは、第一の無線通信方式のネットワークと移動通信端末との間で行われる在圏確認の有無にかかわらず、移動通信端末が在圏しているか否かを迅速に認識することが可能となる。したがって、移動通信端末が圏外に移動してからその事実を把握するまでのタイムラグを短縮させることができるため、このタイムラグの間に発生する不要な呼処理が低減する。それゆえに、無線リソースの無駄な使用を低減させることができる。また、在圏確認の間隔を長くすることができるため、バッテリーの消費量を低減させることができる。
【発明の効果】
【００１０】
本発明に係る移動通信端末および通信システムによれば、無線リソースの無駄な使用を低減させることができるとともに、バッテリーの消費量を低減させることができる。
【発明を実施するための最良の形態】
【００１１】
以下、本発明に係る移動通信端末および通信システムの実施形態を図面に基づき説明する。なお、各図において、同一要素には同一符号を付して重複する説明を省略する。
【００１２】
図１は、本実施形態における通信システム１の構成を例示する図である。図１に示すように、通信システム１は、携帯電話機１０（移動通信端末）と、移動体通信網管理サーバ２０（第二の管理サーバ）と、無線ＬＡＮ網管理サーバ３０（第一の管理サーバ）とを有する。
【００１３】
携帯電話機１０は、異なる無線通信方式に対応した複数の無線通信機能を搭載した移動通信端末である。無線通信方式としては、例えば、ＦＯＭＡ（登録商標）等の第三世代携帯電話の移動体通信網を使用する無線通信方式（第二の無線通信方式）や、無線ＬＡＮ網を使用する無線通信方式（第一の無線通信方式）がある。携帯電話機１０は、自機が在圏する通信エリアをカバーする基地局２５やアクセスポイント３５を介し、それぞれの通信エリアに適用された無線通信方式を用いて無線通信を行う。携帯電話機１０は、例えば、移動体通信網２と無線ＬＡＮ網３の双方の通信エリアに在圏している状態から、無線ＬＡＮ網３の圏外に移動したときに、その時点で通信可能な移動体通信網２の移動体通信網管理サーバ２０に対して、圏外移動通知メッセージを送信する。この圏外移動通知メッセージは、携帯電話機１０が無線ＬＡＮ網３の圏外に移動したことを通知するためのメッセージである。圏外移動通知メッセージには、例えば、携帯電話機１０を一意に特定する識別コードや、無線ＬＡＮ網３を一意に特定する識別コードが含まれる。
【００１４】
なお、携帯電話機１０と無線ＬＡＮ網３との間では、“keep alive”を用いた在圏確認が所定の間隔をあけて行われている。また、本実施形態における通信システム１では、移動通信端末の具体例として携帯電話機１０を用いて説明しているが、移動通信端末の具体例はこれに限られず、例えば、簡易型携帯電話機（ＰＨＳ）や通信機能を有する携帯型情報端末（ＰＤＡ）等の移動通信端末であってもよい。
【００１５】
移動体通信網管理サーバ２０は、基地局２５を介して無線通信可能な携帯電話機１０の現在位置情報等を管理する。移動体通信網管理サーバ２０は、送信部（送信手段）を有する。送信部は、携帯電話機１０から、圏外移動通知メッセージを受信した場合に、携帯電話機１０が無線ＬＡＮ網３の通信エリア３Ａ内から圏外に移動したことを示す圏外情報を、無線ＬＡＮ網管理サーバ３０に送信する。この圏外情報には、例えば、無線ＬＡＮ網３の圏外に移動した携帯電話機１０を一意に特定する識別コードが含まれる。
【００１６】
無線ＬＡＮ網管理サーバ３０は、アクセスポイント３５を介して無線通信可能な携帯電話機１０の在圏情報を、在圏情報テーブルに記憶して管理するための管理部（管理手段）を有する。この管理部は、例えば、移動体通信網管理サーバ２０から送信された圏外情報に基づいて、在圏情報テーブルに記憶されている在圏情報を更新する。ここで、在圏情報とは、無線ＬＡＮ網３を利用可能な携帯電話機１０が、無線ＬＡＮ網３の通信エリア３Ａ内に在圏しているのか否かを示す情報である。この在圏情報には、例えば、携帯電話機１０を一意に特定する識別コードや、この携帯電話機１０が無線ＬＡＮ網３の圏内に位置しているのか圏外に位置しているのかを示す在圏フラグが含まれる。
【００１７】
次に、図２を参照して、携帯電話機１０の機能構成について説明する。図２に示すように、携帯電話機１０は、無線ＬＡＮ通信部１１（第一の無線通信手段）と、移動体通信部１２（第二の無線通信手段）と、圏外移動検知部１３（圏外移動検知手段）と、圏外移動通知メッセージ生成部１４（メッセージ生成手段）とを有する。
【００１８】
無線ＬＡＮ通信部１１は、無線ＬＡＮ網３のアクセスポイント３５を介して無線通信を行う。
【００１９】
移動体通信部１２は、移動体通信網２の基地局２５を介して無線通信を行う。移動体通信部１２は、後述する圏外移動通知メッセージ生成部１４により生成された圏外移動通知メッセージを、移動体通信網２の移動体通信網管理サーバ２０宛に送信する。
【００２０】
圏外移動検知部１３は、無線ＬＡＮ網３のアクセスポイント３５から送信された電波に基づいて、自機１０が無線ＬＡＮ網３の通信エリア３Ａ内から圏外に移動したことを検知する。具体的に説明すると、圏外移動検知部１３は、アクセスポイント３５から送信される電波の強度を測定し、所定の閾値以上あった電波の強度が、所定の閾値未満に変化したことを検知することによって、自機１０が無線ＬＡＮ網３の通信エリア３Ａ内から圏外に移動したと判断する。
【００２１】
圏外移動通知メッセージ生成部１４は、圏外移動検知部１３によって、自機１０が無線ＬＡＮ網３の通信エリア３Ａ内から圏外に移動したことが検知された場合に、自機が無線ＬＡＮ網３の通信エリア３Ａ内から圏外に移動したことを通知するためのメッセージを生成する。このメッセージは、移動体通信網を使用する無線通信方式に適応するデータ形成によって生成される。なお、このメッセージは、例えば、メール、ＳＭＳ（Short Message Service）、制御信号、ＷＥＢ（World Wide Web）等の各種の通達手段を用いて通知することができる。
【００２２】
次に、図３を参照して、本実施形態における通信システム１の動作について説明する。
【００２３】
まず、携帯電話機１０が、移動体通信網２の通信エリア２Ａに在圏し、かつ、無線ＬＡＮ網３の通信エリア３Ａにも在圏していることとする。この場合に、携帯電話機１０の圏外移動検知部１３は、アクセスポイント３５から送信された電波の強度を測定し、測定した電波の強度が所定の閾値未満になったとき（ステップＳ１；ＹＥＳ）に、自機１０が無線ＬＡＮ網３の通信エリア３Ａ内から圏外に移動したと判断する。これにより、携帯電話機１０の表示画面上に表示されている無線ＬＡＮの受信状態表示が、圏外であることを示す圏外表示に変更される（ステップＳ２）。
【００２４】
次に、携帯電話機１０の圏外移動通知メッセージ生成部１４は、自機１０が無線ＬＡＮ網３の通信エリア３Ａ内から圏外に移動したことを通知するための圏外移動通知メッセージを生成する（ステップＳ３）。
【００２５】
次に、携帯電話機１０の移動体通信部１２は、圏外移動通知メッセージ生成部１４により生成された圏外移動通知メッセージを、移動体通信網管理サーバ２０宛に送信する（ステップＳ４）。
【００２６】
次に、移動体通信網管理サーバ２０は、受信した圏外移動通知メッセージに基づいて、携帯電話機１０に関する圏外情報を無線ＬＡＮ網管理サーバ３０宛に送信する（ステップＳ５）。
【００２７】
次に、無線ＬＡＮ網管理サーバ３０は、受信した圏外情報に基づいて、無線ＬＡＮ網３を利用して通信することができる携帯電話機１０の在圏情報を更新する（ステップＳ６）。
【００２８】
以上のように、本実施形態における携帯電話機１０によれば、自機が無線ＬＡＮ網３の通信エリア３Ａ内から圏外に移動したことを検知させることができ、この検知によって、圏外移動通知メッセージを、携帯電話機１０から移動体通信網管理サーバ２０に送信させることができる。すなわち、携帯電話機１０は、無線ＬＡＮ通信部１１により無線通信を行うことができなくなった場合であっても、移動体通信部１２により行われる無線通信を利用して、無線ＬＡＮ網３の圏外に移動したことを移動体通信網管理サーバ２０に通知することができる。
【００２９】
また、本実施形態における移動体通信網管理サーバ２０によれば、携帯電話機１０から送信された圏外移動通知メッセージに基づいて、携帯電話機１０が無線ＬＡＮ網３の通信エリア３Ａ内から圏外に移動したことを示す圏外情報を、移動体通信網管理サーバ２０から無線ＬＡＮ網管理サーバ３０に送信させることができる。さらに、本実施形態における無線ＬＡＮ網管理サーバ３０によれば、移動体通信網管理サーバ２０から送信された圏外情報に基づいて、無線ＬＡＮ網３を利用して通信することができる携帯電話機１０の在圏情報を、更新させることができる。
【００３０】
これらによって、無線ＬＡＮ網管理サーバ３０は、携帯電話機１０が無線ＬＡＮ網３の通信エリア３Ａ内から圏外に移動したことを、移動体通信網管理サーバ２０を介して認識することができる。すなわち、無線ＬＡＮ網管理サーバ３０は、無線ＬＡＮ網３と携帯電話機１０との間で行われる“keep alive”を用いた在圏確認の有無にかかわらず、携帯電話機１０が在圏しているか否かを迅速に認識することが可能となる。したがって、携帯電話機１０が圏外に移動してからその事実を把握するまでのタイムラグを短縮させることができるため、このタイムラグの間に発生する不要な呼処理が低減する。それゆえに、無線リソースの無駄な使用を低減させることができる。また、在圏確認の間隔を長くすることができるため、バッテリーの消費量を低減させることができる。
【００３１】
なお、上述した実施形態においては、携帯電話機１０が無線ＬＡＮ網３の圏外に移動した場合に、圏外移動通知メッセージを移動体通信網２に通知し、この移動体通信網２から無線ＬＡＮ網３に圏外情報を送信しているが、圏外移動通知メッセージや圏外情報を送信する形態はこれに限定されない。例えば、携帯電話機１０が移動体通信網２の圏外に移動した場合に、圏外移動通知メッセージを無線ＬＡＮ網３に通知し、この無線ＬＡＮ網３から移動体通信網２に圏外情報を送信することとしてもよい。また、上述した両方の形態を組み合わせてもよい。要するに、一方の無線通信方式が適用された通信エリア内から圏外に移動した場合に、他方の無線通信方式のネットワークに圏外移動通知メッセージを通知し、この他方の無線通信方式のネットワークから、一方の無線通信方式のネットワークに圏外情報を送信することができればよい。
【図面の簡単な説明】
【００３２】
【図１】発明の実施形態における通信システムのシステム構成を示す図である。
【図２】図１に示す携帯電話機の機能構成を示すブロック図である。
【図３】圏外移動通知処理の詳細動作を示すシーケンス図である。
【符号の説明】
【００３３】
１・・・通信システム、２・・・移動体通信網、２Ａ・・・移動体通信網の通信エリア、３・・・無線ＬＡＮ網、３Ａ・・・無線ＬＡＮ網の通信エリア、１０・・・携帯電話機、１１・・・無線ＬＡＮ通信部、１２・・・移動体通信部、１３・・・圏外移動検知部、１４・・・圏外移動通知メッセージ生成部、２０・・・移動体通信網管理サーバ、２５・・・基地局、３０・・・無線ＬＡＮ網管理サーバ、３５・・・アクセスポイント。
【図１】
2007104418.tif 000003
【図２】
2007104418.tif 000004
【図３】
2007104418.tif 000005